(57)【要約】  【課題】培土に必要量の水を無駄なく供給でき、植物を良好に成長させることができる上、日常管理を省力化できる栽培容器を提供することにある。  【解決手段】本発明の栽培容器は、底部とこの底部の外周から上方が広がるようなテーパ状に立ち上がる側壁部とを備えた栽培容器であって、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であることを特徴とするものである。【選択図】図１
2006254843.tif 000002
【特許請求の範囲】
【請求項１】
底部とこの底部の外周から上方が広がるようなテーパ状に立ち上がる側壁部とを備えた栽培容器であって、
側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であることを特徴とする栽培容器。
【請求項２】
通水壁部が、網目状またはスリット状に形成されていることを特徴とする請求項1記載の栽培容器。
【請求項３】
複数の育苗ポットが連接して配置された育苗用トレーであって、
育苗ポットが、底部とこの底部の外周から上方が広がるようなテーパ状に立ち上がる側壁部とを備え、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であることを特徴とする育苗用トレー。
【請求項４】
通水壁部が、網目状またはスリット状に形成されていることを特徴とする請求項３記載の育苗用トレー。
【請求項５】
支持脚を有し、育苗ポットの底部と設置面との間に空間を形成可能な高さに育苗ポットが支持されることを特徴とする請求項３または４記載の育苗用トレー。
【発明の詳細な説明】
【技術分野】
【０００１】
本発明は、植物を栽培するための栽培容器に関するものである。
【背景技術】
【０００２】
従来、植物を栽培するための栽培容器としては、底部とこの底部の外周から立ち上がる筒状の側壁部とを備え、側壁部の上端開口部近傍から底部の中央部に設けられた排水孔近傍にかけて連続してのびる複数条のスリットが設けられた育苗用ポットが開示されている（例えば、特許文献１参照）。
【特許文献１】実開平５−４３８３８号公報
【発明の開示】
【発明が解決しようとする課題】
【０００３】
しかしながら、上記の育苗用ポットは、スリットの上端部が側壁部の上端開口部近傍に設けられているため、育苗用ポットに水を供給した時に、供給された水の大部分が、スリットの上端部から外部に排出されてしまい、ポット内の培土に必要量の水が浸透しにくいため、水分不足を引き起こし、植物の生育が阻害されるという不具合もある。
本発明は、上記問題点に鑑みてなされたものであって、培土に必要量の水を無駄なく供給でき、植物を良好に成長させることができる上、日常管理を省力化できる栽培容器を提供することにある。
【課題を解決するための手段】
【０００４】
請求項１記載の発明にかかる栽培容器は、底部とこの底部の外周から上方が広がるようなテーパ状に立ち上がる側壁部とを備えた栽培容器であって、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であることを特徴とするものである。
ここで、培土とは、植物を栽培するための媒体となるもの、例えば土、砂、ピートモス、燻炭、腐葉土等とする。
【０００５】
また、上記栽培容器は、通水壁部が、網目状またはスリット状に形成されていてもよい。
【０００６】
請求項２記載の育苗用トレーは、複数の育苗ポットが連接して配置された育苗用トレーであって、育苗ポットが、底部とこの底部の外周から上方が広がるようなテーパ状に立ち上がる側壁部とを備え、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であることを特徴とするものである。
【０００７】
また、上記育苗用トレーは、通水壁部が、網目状またはスリット状に形成されていてもよい。
【０００８】
さらに、上記育苗用トレーは、支持脚を有し、育苗ポットの底部と設置面との間に空間を形成可能な高さに育苗ポットが支持されていてもよい。
【発明の効果】
【０００９】
請求項１記載の発明の栽培容器によれば、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であるので、供給された水は、培土の表面と貯水壁部で形成される空間部に一旦貯水された後、徐々に培土にしみ込んでいく。したがって、培土に必要量の水を無駄なく供給でき、植物を良好に成長させることができる上、幾度にも分けて水を供給する手間が省け、日常管理を省力化できる。
【００１０】
また、側壁部と底部とに通水性を有する通水壁部が形成されているので、容器下方の培土に長時間水が滞留することなく適宜排出または蒸散されるため、植物をより良好に成長させることができる。
【００１１】
さらに、上記栽培容器において、通水壁部が、網目状またはスリット状に形成されているものでは、より効果的に容器内の水が排出または蒸散されるので、根腐れ等を効果的に防止できる上、通気性もよいため、根回りを防止して、大気中の酸素を植物の苗の根や培土に十分供給でき、植物をより良好に成長させることができる。
【００１２】
請求項３記載の発明の育苗用トレーによれば、複数の育苗ポットが連接して配置された育苗用トレーであって、育苗ポットが、底部とこの底部の外周から上方が広がるようなテーパ状に立ち上がる側壁部とを備え、側壁部が、通水性を有する通水壁部と貯水壁部とで構成され、通水壁部が底部にも形成されているとともに、貯水壁部が通水壁部の上端側に一連に形成されていて、培土が収容された容器内に水を供給したときに、培土の表面と貯水壁部で形成される空間部に貯水可能であるので、供給された水が、培土の表面と貯水壁部で形成される空間部に一旦貯水された後、徐々に培土にしみ込んでいく。したがって、培土に必要量の水を無駄なく供給でき、植物を良好に成長させることができる上、幾度にも分けて水を供給する手間が省け、日常管理を省力化できる。
【００１３】
また、側壁部と底部とに通水性を有する通水壁部が形成されているので、容器下方の培土に長時間水が滞留することなく適宜排出または蒸散され、植物をより良好に成長させることができる。さらに、多数の育苗ポットを同時に運搬できるため取り扱いが容易であるという利点もある。
【００１４】
また、上記育苗用トレーにおいて、通水壁部が、網目状またはスリット状に形成されているものでは、より効果的に容器内の水が排出または蒸散されるので、根腐れ等を効果的に防止できる上、通気性もよいため、根回りを防止して、大気中の酸素を植物の苗の根や培土に十分供給でき、植物をより良好に成長させることができる。
【００１５】
さらに、上記育苗用トレーにおいて、支持脚を有し、育苗ポットの底部と設置面との間に空間を形成可能な高さに育苗ポットが支持されるものでは、育苗ポットの底部からの排水が妨げられず、通水壁部の通水性を保持することができる。
【発明を実施するための最良の形態】
【００１６】
以下、本発明にかかる栽培容器の一実施形態について詳細に説明する。
【００１７】
本実施形態の栽培容器Ｐ１は、ポリエチレン樹脂やポリプロピレン樹脂等の合成樹脂材料を射出成形したもので、容器内部に培土を充填しても変形しない程度の強度を有しており、図１から図３に示すように、略円板状の底部２と、この底部２の外周からテーパ状に立ち上がる側壁部３とを備え、上方に開口部４を有している。栽培容器Ｐ１の各部分の寸法としては、底部２の内径が約６０ｍｍ、開口部４の内径が約９０ｍｍで、開口部４から底部２までの深さが約７５ｍｍであり、容器の厚さが約２ｍｍとなっている。
【００１８】
底部２は、図３に示すように、環状の枠部２０１と、直径約１５ｍｍの円板状の中央部２０２と、枠部２０１と中央部２０２との間に形成される通水底部２０３とで構成されている。通水底部２０３は、細かい格子状に形成され、容器内部に連通する約３ｍｍ角の略矩形の通水窓２０４が多数形成されている。
【００１９】
側壁部３は、断面略円形状で、下端側から上端側に向かって広がるテーパ状に形成されており、通水性を有する通水壁部３１と貯水壁部３２とで構成されている。通水壁部３１も通水底部２０３と同様に、細かい格子状に形成され、容器内部に連通する約３ｍｍ角の略矩形の連通窓３１０が多数形成されている。貯水壁部３２は、非通水性材料、すなわち水を通過させない材料からなる環状の板状に構成されており、貯水壁部３２は、通水壁部３１の上端側に、側壁部３の下端部から上端部までの長さの２５％前後の割合で一連に形成されている。
【００２０】
上記構成の栽培容器Ｐ１には、培土Ｇが充填され、植物Ｐが植えられる。培土Ｇは、その表面が栽培容器Ｐ１の上端付近に位置するまで充填される。そして、栽培容器Ｐ１の開口部４から培土Ｇの表面に水を供給すると、培土Ｇ内部の空気が追い出されて培土Ｇが締まり、培土Ｇの位置は、充填時に比べて約１０％下がる。そして、供給された水は、図２に示すように、培土Ｇの表面と貯水壁部３２とで形成される空間部に一旦貯水されて、貯水層Ｓを形成した後、徐々に培土Ｇにしみ込んでいく。したがって、培土Ｇに必要量の水を無駄なく供給できる上、幾度にも分けて水を供給する手間が省け、日常管理を省力化できる。
【００２１】
さらに、通水底部２０３と通水壁部３１とに通水窓２０４と連通窓３１０とがそれぞれ形成されているので、容器下方の培土に長時間水が滞留することなく適宜排出または蒸散されるため、根腐れ等を効果的に防止できる。また、通水窓２０４と連通窓３１０を形成したので通気性もよく、根回りを防止して、大気中の酸素を植物の根や培土に十分供給できるため、植物をより良好に生育させることができる。
【００２２】
次に、本発明にかかる育苗用トレーの一実施形態について説明する。本実施形態の育苗用トレーＰ２は、栽培容器Ｐ１と同様に、ポリエチレン樹脂やポリプロピレン樹脂等の合成樹脂材料を射出成形したもので、容器内部に培土を充填しても変形しない程度の強度を有している。そして、図４に示すように、平面視略矩形の平板状のトレー本体５と、トレー本体５に整列して配置される複数の育苗ポット６，６，６・・と、トレー本体５の四隅を支持する支持脚７とで構成されている。
【００２３】
育苗ポット６は、基本的には上記栽培容器Ｐ１と同様の構成であり、その寸法も略同一であるので、同一の符号を付して詳細な説明は省略する。なお、育苗ポット６は、トレー本体５の下面側に配置され、トレー本体５の表面に貯水壁部３２の上端部が連接しており、開口部４がトレー本体５の表面に開口している。
【００２４】
支持脚７は、トレー本体５から下方に連設されており、トレー本体５の表面から支持脚７の下端部までの距離が、トレー本体５の表面から育苗ポット６の底部２までの距離よりも長くなっている。すなわち、トレー本体５を設置面に設置させたときに、育苗ポット６の底部２が設置面に接触することなく、底部２と設置面との間に空間を形成可能な長さを有している。
【００２５】
以上、詳述したように、本実施の形態の育苗用トレーＰ２によれば、前記の栽培容器Ｐ１と同様の構成である育苗ポット６をトレー本体５に複数設けたものであるので、栽培容器Ｐ１と同様に、育苗用トレーＰ２に培土が充填され、植物の苗が植えられて、開口部４から培土の表面に水を供給すると、培土の表面と貯水壁部３２とで形成される空間部に一旦貯水された後、徐々に培土にしみ込んでいく。したがって、培土に必要量の水を無駄なく供給できる上、幾度にも分けて水を供給する手間が省け、日常管理を省力化できる。
【００２６】
さらに、通水底部２０３と通水壁部３１とに通水窓２０４と連通窓３１０とがそれぞれ形成されているので、容器下方の培土に長時間水が滞留することなく適宜排出または蒸散されるため、根腐れ等を効果的に防止できる。また、通水窓２０４と連通窓３１０を形成したので通気性もよく、根回りを防止して、大気中の酸素を植物の苗の根や培土に十分供給できるため、植物の苗をより良好に生育させることができる。
【００２７】
また、多数の育苗ポット６を同時に運搬できるため取り扱いが容易であるという利点もある。
【００２８】
また、育苗用トレーＰ２は、支持脚７で支持され、育苗ポット６の底部２が設置面に接触することなく、底部２と設置面との間に空間が形成されるので、育苗ポット６の通水底部２０３からの排水が妨げられず、通水底部２０３の通水性を保持することができ、根腐れ等をより効果的に防止できる。
【００２９】
なお、本実施形態の栽培容器Ｐ１および育苗ポット６は、貯水壁部３２が、通水壁部３１の上端側に、側壁部３の下端側から上端側までの長さの２５％前後の割合で一連に形成されているが、およそ５〜３０％の割合で形成されていればよい。なお、５％未満であると、水を供給しても充分な貯水層Ｓが形成されにくく貯水させておくことができないので、本発明の目的を達成できない。一方、３０％を超えると、通水壁部３１の割合が少なくなって水はけが悪くなり、容器下方の培土に長時間水が滞留して根腐れを起こすなど、植物の成長が妨げられてしまう。
【００３０】
また、本実施形態の栽培容器Ｐ１および育苗用トレーＰ２は、合成樹脂製としたが、これに限られず、容器内部に培土を充填しても変形しない程度の強度を有するものであればよい。したがって、例えば金属製や陶器製、ガラス製等であってもよい。また、本実施形態の栽培容器Ｐ１および育苗ポット６は、断面略円形状としたが、これに限られず、例えば断面略四角形状であってもよい。また、当然のことながら、栽培容器Ｐ１および育苗ポット６の寸法は、本実施形態の寸法に限られず、適宜変更可能である。
【００３１】
また、通水底部２０３と通水壁部３１の有する性質としては、通水性だけに限定されるものではなく、例えば通気性、抗菌性等を有していてもよい。さらに、通水底部２０３と通水壁部３１とは、本実施形態の構造に限定されるものではなく、例えば、細かな網目状やスリット状に形成されていてもよいし、無数の穿設孔が形成されていてもよい。さらに、通水性を有する不織布等でもよい。
【図面の簡単な説明】
【００３２】
【図１】本発明に係る一実施形態の栽培容器Ｐ１を示す外観図である。
【図２】図１に示す栽培容器Ｐ１の使用状態を示す説明図である。
【図３】図１に示す栽培容器Ｐ１の底面図である。
【図４】本発明に係る別の実施形態の育苗用トレーＰ２を示す外観図である。
【符号の説明】
【００３３】
Ｐ１    栽培容器
Ｐ２    育苗用トレー
２      底部
２０３  通水底部（通水壁部）
３      側壁部
３１    通水壁部
３２    貯水壁部
６      育苗ポット
７      支持脚
【図１】
2006254843.tif 000003
【図２】
2006254843.tif 000004
【図３】
2006254843.tif 000005
【図４】
2006254843.tif 000006